(57)【要約】【課題】  誘虫光の反射範囲を液面によるもの以上に拡大し、十分な誘虫効果を発現することができる捕獲殺虫装置を提供する。【解決手段】  虫を誘引するよう紫外線を含有した誘虫光を照射する誘引光源９と、誘引光源９の下に配置されて捕虫液１７が溜められる捕虫液容器２と、が備えられた捕獲殺虫装置１であって、捕虫液容器２の内部を２つの凹所３、３に仕切る仕切り部１１が設けられ、仕切り部１１は、仕切った両凹所３、３にそれぞれ面して対向する対向面１３、１３が、上端に向かう程、対向間隔を狭くして形成された反射面である。【選択図】図１
2006115717.tif 000002
【特許請求の範囲】
【請求項１】
虫を誘引するよう紫外線を含有した誘虫光を照射する誘引光源と、誘引光源の下に配置されて捕虫液が溜められる捕虫液容器と、が備えられた捕獲殺虫装置であって、
捕虫液容器の内部を複数の凹所に仕切る仕切り部が設けられ、仕切り部は、仕切った両凹所にそれぞれ面して対向する対向面が、上端に向かう程、対向間隔を狭くして形成された反射面であることを特徴とする捕獲殺虫装置。
【請求項２】
捕虫液容器の内面が反射面であることを特徴とする請求項１に記載の捕獲殺虫装置。
【請求項３】
仕切り部の上端面に凹部が設けられていることを特徴とする請求項１又は２に記載の捕獲殺虫装置。
【請求項４】
仕切り部で仕切られた捕虫液容器の複数の凹所の表面が、凹所毎に異なる着色を施されたことを特徴とする請求項１〜３のいずれかに記載の捕獲殺虫装置。
【発明の詳細な説明】
【技術分野】
【０００１】
本発明は、誘引光を照射して虫を捕虫液に誘引捕獲する捕獲殺虫装置に関するものである。
【背景技術】
【０００２】
従来から、捕獲殺虫装置として、虫を誘引するよう紫外線を含有した誘虫光を照射する誘引光源と、捕虫液が溜められる捕虫液容器と、が備えられたものが知られている。
【０００３】
これについては、特開２００２−６５１３６号公報（特許文献１）に記載されているもの、すなわち、図４に示す如く、捕虫液１７が溜められた捕虫液容器２の上に虫を誘引する誘虫光を照射する誘引光源９が設置されている構成が例示される。
【０００４】
この構成により、捕虫液１７の液面１８が、誘引光源９の照射する誘虫光を反射し、この反射された誘虫光が、捕虫液１７に向かって虫を誘引し、捕虫液１７に捕獲されることとなる。
【特許文献１】特開２００２−６５１３６号公報
【発明の開示】
【発明が解決しようとする課題】
【０００５】
しかしながら、上記構成では、捕虫液容器２に溜められた捕虫液１７の液面１８のみが誘引光源９の照射する誘虫光を反射するものであり、誘虫光の反射範囲は補虫液１７の液面１８の上方付近であり、十分な誘虫効果を発現できない可能性があった。
【０００６】
本願発明は、上記背景技術に鑑みてなされたものであり、その課題は、誘虫光の反射範囲を液面によるもの以上に拡大し、十分な誘虫効果を発現することができる捕獲殺虫装置を提供することである。
【課題を解決するための手段】
【０００７】
上記課題を解決するために、本願発明は、虫を誘引するよう紫外線を含有した誘虫光を照射する誘引光源と、誘引光源の下に配置されて捕虫液が溜められる捕虫液容器と、が備えられた捕獲殺虫装置であって、捕虫液容器の内部を複数の凹所に仕切る仕切り部が設けられ、仕切り部は、仕切った両凹所にそれぞれ面して対向する対向面が、上端に向かう程、対向間隔を狭くして形成された反射面であることを特徴とする捕獲殺虫装置である。
【発明の効果】
【０００８】
本願発明によれば、仕切り部は、仕切った両凹所にそれぞれ面して対向する対向面が、上端に向かう程、対向間隔を狭くして形成された反射面であるので、反射面である対向面が誘引光源に臨む形で補虫液の液面に対し傾斜することとなる。よって、対向面で反射された誘虫光は液面のみが誘虫光を反射する範囲に加え、さらにその周囲近傍にも照射されるので、誘虫効果を高めることができる。
【発明を実施するための最良の形態】
【０００９】
図１〜３は、本願の請求項１〜４のすべてに対応した一実施形態である捕獲殺虫装置１を示している。
【００１０】
本実施形態の捕獲殺虫装置１は、図１〜３に示す如く、虫を誘引するよう紫外線を含有した誘虫光を照射する誘引光源９と、誘引光源９の下に配置されて捕虫液１７が溜められる捕虫液容器２と、が備えられた捕獲殺虫装置１であって、捕虫液容器２の内部を２つの凹所３、３に仕切る仕切り部１１が設けられ、仕切り部１１は、仕切った両凹所３、３にそれぞれ面して対向する対向面１３、１３が、上端に向かう程、対向間隔を狭くして形成された反射面である。ここで、捕虫液容器２の内面が反射面である。
【００１１】
また、仕切り部１１の上端面１２に凹部１６が設けられている。さらに、仕切り部１１で仕切られた捕虫液容器２の２つの凹所３、３の表面が、凹所３毎に異なる着色を施されている。
【００１２】
以下、本実施形態による捕獲殺虫装置１を、より具体的詳細に説明する。最初に誘引光源９について説明する。これは、図１に示す如く、円柱状の紫外線ランプ８と、紫外線ランプ８を覆ってなる薄肉円筒状の透光部材７と、紫外線ランプ８に電流を供給する給電機構（図示しない）と、を有している。ここで、透光部材７の両端部は、略中心に孔を有する円板で塞がれており、この孔によって紫外線ランプ８の外周が支持される。またこの孔から給電回路に接続する端子（図示しない）が露出することとなる。ここで透光部材７としては、紫外線透過型透明アクリルパイプのように紫外線を含有した誘引光を効率よく透過できるものが例示される。
【００１３】
この誘引光源９は、捕虫液容器２の端面部５（詳細後述）の上端に立設される薄肉で略三角形状の支持部６に設けられた略Ｕ字形状の切り欠きに載置される。この状態で誘引光源９は、その軸を略水平となるよう捕虫液容器２の上方に配置される。
【００１４】
次に、捕虫液容器２について説明する。これは、図１〜３に示す如く、上面に開口を有する略箱状のもので、捕虫液容器２の底部を構成する薄肉四角形状の底面部１０と、底面部１０の長辺に立設される薄肉四角形状の側面部４と、底面部１０の短辺に立設され側面部４の短辺に固着される薄肉四角形状の端面部５と、端面部５の上端辺に立設され上部が略Ｕ字形状に切り欠きされた薄肉で略三角形状の支持部６を有し、底面部１０と側面部４と端面部５とで囲まれた捕虫液容器２の内部を２つの凹所３、３に仕切る仕切り部１１を有するものである。
【００１５】
なお、捕虫液容器２の内面、つまり底面部１０、側面部４及び端面部５の内面は誘引光源９から照射された誘虫光を反射する反射面となっている。反射面は、底面部１０、側面部４及び端面部５をステンレス等の金属で成形し、この内面を鏡面仕上げしたものでもよいし、捕虫液容器２をプラスチック等の非金属で成形し、この内面に誘虫光を反射する部材を設けることとしてもよい。また支持部６についても同様の材料で成形したものが例示され、同様に鏡面仕上げし又は反射部材を設けてもよい。
【００１６】
さらに、捕虫液容器２は略箱状のものに限られず、底面部が曲面である略樋状のものも例示される。この場合は底面部が曲面であって隅角部がないため、捕獲殺虫した虫が隅角部に蓄積されることがなく、捕虫液の交換又は捕虫液容器の掃除を容易に行いうる点で有利である。
【００１７】
ここで仕切り部１１は、図１及び図２に示す如く、底面部１０の短辺と略同じ長さの短辺を有する薄肉四角形状の形材を、長辺と直交する折目に従って略Ｍ字形状に折曲加工したもので、対向する対向面１３、１３が上端に向かう程、対向間隔を狭くして形成されており、仕切った両凹所３、３にそれぞれ面して対向する両対向面１３、１３の上端が凹部１６を有する上端面１２に連続してなるものである。なお、対向面１３、１３は反射面となっており、仕切り部１１をステンレス等の金属で成形し、この面を鏡面仕上げしたものでもよいし、仕切り部１１をプラスチック等の非金属で成形し、この面に誘虫光を反射する部材を設けることとしてもよい。
【００１８】
また仕切り部１１は、捕虫液容器２の底面部１０の重心上方に凹部１６の重心が重なるように、その両対向面１３、１３の下端１５、１５は底面部１０に固着されており、両対向面１３、１３の側端１４、１４は側面部４に固着されている。この状態で、対向面１３、１３は、図３に示す如く、誘引光源９に臨む形で捕虫液１７の液面１８に対し傾斜することとなる。
【００１９】
ここで、上端面１２の凹部１６には虫を誘引する誘引剤を入れることとなる。誘引剤としては、人に対しての毒性の低いものであり、通常使用されていて、虫を誘引することができるものを使用し、乳酸、フェロモン、果汁が例示される。
【００２０】
そして、仕切り部１１で仕切られた捕虫液容器２の２つの凹所３、３の表面は、一方は赤色に、もう一方は青色に着色を施されている。ここで着色は赤色又は青色に限られず、捕虫対象の特性に応じて任意のものが選択、着色される。
【００２１】
なお、仕切り部１１で仕切られた凹所３は複数であれば２つに限られず、また仕切る方向も捕虫液容器２の長辺方向、短辺方向又はこれらの両方向のいずれに仕切るものであってもよい。
【００２２】
従って、本実施形態によれば、仕切り部１１は仕切った両凹所３、３にそれぞれ面して対向する対向面１３、１３が、上端に向かう程、対向間隔を狭くして形成された反射面であるので、反射面である対向面１３、１３が誘引光源９に臨む形で補虫液１７の液面１８に対し傾斜することとなる。よって、対向面１３、１３で反射された誘虫光は捕虫液１７の液面１８のみが誘虫光を反射する範囲に加え、図３において二点鎖線で示す如く、さらにその周囲近傍にも照射されるので、誘虫効果を高めることができる。そして捕虫液容器２の内部を仕切り部１１によって２つの凹所３、３に仕切っているので、捕虫液１７の共振を小さくすることが可能であり、捕中液１７をこぼすおそれが少なくなるとともに、捕虫液１７の交換が容易になる。
【００２３】
また、本実施形態によれば、捕虫液容器２の内面が反射面であることにより、捕虫液１７の液面１８に加えて、捕虫液容器２の内面も誘虫光を反射するので、より誘虫効果を高めることができる。
【００２４】
また、本実施形態によれば、仕切り部１１の上端面１２に凹部１６が設けられていることより、凹部１６を誘引剤入れとして使用できるので、一層誘虫効果を高めることができる。
【００２５】
さらに、本実施形態によれば、仕切り部１１で仕切られた捕虫液容器２の２つの凹所３、３の表面が、凹所３毎に異なる着色を施されることより、凹所３毎に捕虫対象を設定できるので、一台の装置で複数の種類の虫を捕虫することができる。
【図面の簡単な説明】
【００２６】
【図１】本願発明の一実施形態の斜視図
【図２】同上の仕切り部の斜視図。
【図３】同上の縦断面図。
【図４】従来例の縦断面図
【符号の説明】
【００２７】
１  捕獲殺虫装置
２  捕虫液容器
３  凹所
９  誘引光源
１１  仕切り部
１２  上端面
１３  対向面
１６  凹部
１７  捕虫液
【図１】
2006115717.tif 000003
【図２】
2006115717.tif 000004
【図３】
2006115717.tif 000005
【図４】
2006115717.tif 000006